(57)【要約】【課題】パトロール支援装置の構築に煩雑さを生じさせることなく、パトロール対象である不具合が発生している設備機器を容易に特定できるようにすること。【解決手段】パトロール対象である設備機器の配置位置を示す地図を表示器に表示し（Ｓ１０３）、不具合が発生している設備機器の位置を地図上で指定するだけでその設備機器を特定できるようにし、その設備機器をデジタルカメラで撮影した撮影画像上をマーキングして不具合箇所を示すことができるようにすると共に、設備機器の状態を対話形式で入力可能とし（Ｓ１０６）、こうして特定された設備機器とマーキングされた撮影画像データと入力された設備機器の状態とを一まとめのデータとして生成する。そして、一まとめのデータを予め整えられている書式に当てはめて、報告書を作成する。【選択図】図４
2012093933.tif 000002
【特許請求の範囲】
【請求項１】
情報を表示するための表示器と、
情報を操作入力するための入力部と、
被写体を撮影するためのデジタルカメラと、
情報処理を実行する情報処理部と、
を備え、
前記情報処理部が、
メモリに格納されているパトロール対象である設備機器の配置位置を示す地図データをビデオメモリに展開して地図を前記表示器に表示する処理と、
前記入力部による前記表示器に表示された地図上の位置指定を許容し、前記地図データ中で当該指定され位置に対応付けられている前記設備機器を特定する処理と、
前記デジタルカメラによる撮影画像を前記ビデオメモリに展開して前記表示器に表示する処理と、
前記入力部による前記表示器に表示された撮影画像上の位置指定を許容し、当該指定される位置にマーキングをした撮影画像データを生成する処理と、
前記入力部で入力可能な前記表示器へのインストラクション表示によって、前記設備機器の状態を対話形式で入力する処理と、
前記特定された設備機器と前記マーキングされた撮影画像データと前記入力された設備機器の状態とを一まとめのデータとして生成する処理と、
を実行することを特徴とするパトロール支援装置。
【請求項２】
前記入力部はタッチパネルを含み、
前記情報処理部は、前記地図上の位置指定と前記撮影画像上の位置指定とを前記タッチパネルを用いて実行させる、
ことを特徴とする請求項１に記載のパトロール支援装置。
【請求項３】
前記情報処理部は、前記表示器に表示された地図上で位置指定されると、当該指定される位置にマーキングをした地図データを生成し、このマーキングされた地図データを前記一まとめのデータに含める、
ことを特徴とする請求項１または２に記載のパトロール支援装置。
【請求項４】
識別コードを入力するためのコード入力部を備え、
前記情報処理部は、前記コード入力部によって入力された識別コードに対応付けられている領域の地図データを前記メモリから呼び出して前記ビデオメモリに展開する、
ことを特徴とする請求項１ないし３のいずれか一に記載のパトロール支援装置。
【請求項５】
情報を表示するための表示器と、情報を操作入力するための入力部と、被写体を撮影するためのデジタルカメラとを備えるコンピュータにインストールされ、当該コンピュータに、メモリに格納されているパトロール対象である設備機器の配置位置を示す地図データをビデオメモリに展開して地図を前記表示器に表示する機能と、
前記入力部による前記表示器に表示された地図上の位置指定を許容し、前記地図データ中で当該指定され位置に対応付けられている前記設備機器を特定する機能と、
前記デジタルカメラによる撮影画像を前記ビデオメモリに展開して前記表示器に表示する機能と、
前記入力部による前記表示器に表示された撮影画像上の位置指定を許容し、当該指定される位置にマーキングをした撮影画像データを生成する機能と、
前記入力部で入力可能な前記表示器へのインストラクション表示によって、前記設備機器の状態を対話形式で入力する機能と、
前記特定された設備機器と前記マーキングされた撮影画像データと前記入力された設備機器の状態とを一まとめのデータとして生成する機能と、
を実行させることを特徴とするコンピュータ読み取り可能なコンピュータプログラム。
【請求項６】
請求項１ないし４のいずれか一に記載のパトロール支援装置と、
前記パトロール支援装置から前記一まとめのデータを取得し、当該取得した一まとめのデータを予め整えられている書式に当てはめて報告書を作成する上位機と、
を備えることを特徴とするパトロール支援システム。
【請求項７】
請求項４に記載のパトロール支援装置と、
パトロール対象である設備機器の個々の設置領域毎に配置された識別コードと、
前記パトロール支援装置から前記一まとめのデータを取得し、当該取得した一まとめのデータを予め整えられている書式に当てはめて報告書を作成する上位機と、
を備えることを特徴とするパトロール支援システム。
【請求項８】
メモリに格納されているパトロール対象である設備機器の配置位置を示す地図データをビデオメモリに展開して地図を表示器に表示する工程と、
入力部による前記表示器に表示された地図上の位置指定を許容し、前記地図データ中で当該指定され位置に対応付けられている前記設備機器を特定する工程と、
デジタルカメラによる撮影画像を前記ビデオメモリに展開して前記表示器に表示する工程と、
前記入力部による前記表示器に表示された撮影画像上の位置指定を許容し、当該指定される位置にマーキングをした撮影画像データを生成する工程と、
前記入力部で入力可能な前記表示器へのインストラクション表示によって、前記設備機器の状態を対話形式で入力する工程と、
前記特定された設備機器と前記マーキングされた撮影画像データと前記入力された設備機器の状態とを一まとめのデータとして生成する工程と、
前記一まとめのデータを予め整えられている書式に当てはめて報告書を作成する工程と、
を実行することを特徴とするパトロール支援方法。
【発明の詳細な説明】
【技術分野】
【０００１】
本発明は、発電所や変電所などで各種設備や機器等の状態を見回るパトロールを支援するためのパトロール支援装置、これに用いるコンピュータプログラム、パトロール支援システム、およびパトロール支援方法に関する。
【背景技術】
【０００２】
発電所や変電所などでは、定期的に、あるいは異常イベントの発生時に、各種設備や機器等の状態を見回るパトロールが不可欠である。このようなパトロールでは、伝統的に、パトロール員が現場に赴き、五感（特に、視覚、聴覚、臭覚）を用いて各種設備や機器の状態をチェックする。そして、不具合箇所を見つけた場合には、中央制御室に戻って報告書を作成する。報告書には、様々な部署の者に情報公開をするための不適合報告書の他、保守管理部門に補修作業を依頼するための作業依頼票がある。これらの報告書は、いずれも、文書を用いた自由記載によって作成される。それ故、第三者に対して情報が正確に伝達されるか否かは、専ら書き手の文章力に依存する。しかも、一般的に、発電所や変電所などで行なわれるパトロール業務の性質上、報告書の作成に際して十分に文案を練るような時間的余裕はない。これらのことが相俟って、報告書のみからでは、パトロールをして発見した不具合箇所について、正確な情報伝達ができにくいのが現状である。
【０００３】
特許文献１は、上記不都合の解消にヒントを与える発明を開示している。この発明は、パトロール現場に赴くパトロール員に携帯型端末（特許文献１ではポータブル現場端末装置７）を持たせ、携帯型端末の画面上でインタラクティブに情報入力を可能にしている。より詳しくは、特許文献１の段落００２１〜段落００２４に記載されている通り、
（手順１）
携帯型端末の入力部で設備を指定。
（手順２）
表示器（特許文献１ではディスプレイ）に設備のグラフィック情報と共に、その設備情報をテキスト表示。
（手順３）
設備のグラフィック情報（外観の写真等）上で、異常発生箇所を指定すると同時に、表示器に異常選択メニュー（１．異音、２．振動、…）を表示（選択指定可能）。
（手順４）
異常メニューから項目が選択されると、表示器にパトロール員が行なうべき調査項目ガイドが表示。
（手順５）
パトロール員は、調査項目ガイドに従い現場の状況を確認し、その結果を入力。
という手順が開示されている。特許文献１は、更に、上記手順１〜５によって携帯型端末に入力された機器の異常を、上位機（特許文献１ではホストコンピュータ６）に送信し、中央制御室に設置されているディスプレイ装置に表示することも開示している（特許文献１の段落００２５〜段落００２９参照）。
【先行技術文献】
【特許文献】
【０００４】
【特許文献１】特開平０８−２０２４３５号公報
【特許文献２】特開２００２−２６０１２６公報
【発明の概要】
【発明が解決しようとする課題】
【０００５】
特許文献１に記載の発明によれば、異常が発生している設備や機器を特定するための手順として、上記手順１を採用する。ところが、設備をどのように指定するのかについて、特許文献１には何らの記載もない。これに対して、設備を指定するには、その設備が設置されている施設に関する知識が必要となる。設備や機器の設置数が増えれば増えるほど、その知識に広さと深さとが必要となり、設備の指定が困難になる。これが、第一の問題である。
次いで、特許文献１に記載の発明によれば、上記手順２のために、設備のグラフィック情報（外観の写真等）を予め用意しておく必要がある。これに対して、設備や機器の設置数が増えれば増えるほど、そのようなグラフィック情報（外観の写真等）を予め用意しておくことが煩雑となり、システム構築が困難になる。これが、第二の問題である。
本発明は、このような点に鑑みなされたもので、パトロール支援装置の構築に煩雑さを生じさせることなく、パトロール対象である不具合が発生している設備機器を容易に特定できるようにすることである。
【課題を解決するための手段】
【０００６】
本発明の一態様のパトロール支援装置は、情報を表示するための表示器と、情報を操作入力するための入力部と、被写体を撮影するためのデジタルカメラと、情報処理を実行する情報処理部と、を備え、前記情報処理部が、メモリに格納されているパトロール対象である設備機器の配置位置を示す地図データをビデオメモリに展開して地図を前記表示器に表示する処理と、前記入力部による前記表示器に表示された地図上の位置指定を許容し、前記地図データ中で当該指定され位置に対応付けられている前記設備機器を特定する処理と、前記デジタルカメラによる撮影画像を前記ビデオメモリに展開して前記表示器に表示する処理と、前記入力部による前記表示器に表示された撮影画像上の位置指定を許容し、当該指定される位置にマーキングをした撮影画像データを生成する処理と、前記入力部で入力可能な前記表示器へのインストラクション表示によって、前記設備機器の状態を対話形式で入力する処理と、前記特定された設備機器と前記マーキングされた撮影画像データと前記入力された設備機器の状態とを一まとめのデータとして生成する処理と、を実行することによって上記課題を解決する。
【０００７】
本発明の一態様のコンピュータプログラムは、情報を表示するための表示器と、情報を操作入力するための入力部と、被写体を撮影するためのデジタルカメラとを備えるコンピュータにインストールされ、当該コンピュータに、メモリに格納されているパトロール対象である設備機器の配置位置を示す地図データをビデオメモリに展開して地図を前記表示器に表示する機能と、前記入力部による前記表示器に表示された地図上の位置指定を許容し、前記地図データ中で当該指定され位置に対応付けられている前記設備機器を特定する機能と、前記デジタルカメラによる撮影画像を前記ビデオメモリに展開して前記表示器に表示する機能と、前記入力部による前記表示器に表示された撮影画像上の位置指定を許容し、当該指定される位置にマーキングをした撮影画像データを生成する機能と、前記入力部で入力可能な前記表示器へのインストラクション表示によって、前記設備機器の状態を対話形式で入力する機能と、前記特定された設備機器と前記マーキングされた撮影画像データと前記入力された設備機器の状態とを一まとめのデータとして生成する機能と、を実行させることによって上記課題を解決する。
【０００８】
本発明の一態様のパトロール支援システムは、上記パトロール支援装置と、前記パトロール支援装置から前記一まとめのデータを取得し、当該取得した一まとめのデータを予め整えられている書式に当てはめて報告書を作成する上位機と、を備えることによって上記課題を解決する。
【０００９】
本発明の別の一態様のパトロール支援システムは、識別コードを入力するためのコード入力部を備え、前記情報処理部が、前記コード入力部によって入力された識別コードに対応付けられている領域の地図データを前記メモリから呼び出して前記ビデオメモリに展開するようにした上記パトロール支援装置と、パトロール対象である設備機器の個々の設置領域毎に配置された識別コードと、前記パトロール支援装置から前記一まとめのデータを取得し、当該取得した一まとめのデータを予め整えられている書式に当てはめて報告書を作成する上位機と、を備えることによって上記課題を解決する。
【００１０】
本発明の一態様のパトロール支援方法は、メモリに格納されているパトロール対象である設備機器の配置位置を示す地図データをビデオメモリに展開して地図を表示器に表示する工程と、入力部による前記表示器に表示された地図上の位置指定を許容し、前記地図データ中で当該指定され位置に対応付けられている前記設備機器を特定する工程と、デジタルカメラによる撮影画像を前記ビデオメモリに展開して前記表示器に表示する工程と、前記入力部による前記表示器に表示された撮影画像上の位置指定を許容し、当該指定される位置にマーキングをした撮影画像データを生成する工程と、前記入力部で入力可能な前記表示器へのインストラクション表示によって、前記設備機器の状態を対話形式で入力する工程と、前記特定された設備機器と前記マーキングされた撮影画像データと前記入力された設備機器の状態とを一まとめのデータとして生成する工程と、前記一まとめのデータを予め整えられている書式に当てはめて報告書を作成する工程と、を実行することによって上記課題を解決する。
【発明の効果】
【００１１】
本発明によれば、特定された設備機器とマーキングされた撮影画像データと入力された設備機器の状態とを一まとめのデータとして生成するという前提の下、デジタルカメラで撮影した設備機器にマーキングをして不具合箇所を示すことができ、これにより、設備機器の不具合箇所を示すために設備機器毎にそのグラフィック情報（外観の写真等）を予め用意しておくような煩雑さを伴うことなくパトロール支援装置を構築することができ、また、表示器に表示された地図上の位置を指定するだけで設備機器を特定することができ、これにより、設備機器についての知識を要することなく、パトロール対象である不具合が発生している設備機器を容易に特定することができる。
【図面の簡単な説明】
【００１２】
【図１】実施の一形態として、パトロール支援システムを含むシステム全体を示す概略模式図。
【図２】パトロール支援装置のハードウェア構成を示すブロック図。
【図３】パトロール支援プログラム（コンピュータプログラム）とこれが利用する地図データベースおよび対象体系データベースとを例示する模式図。
【図４】パトロール支援プログラム（コンピュータプログラム）に従いパトロール支援装置が実行する処理の流れを示すフローチャート。
【図５】図４中のステップＳ１０６の処理内容の詳細を示すフローチャート。
【図６】パトロール支援装置が無線で送信出力する一まとめのデータを例示する模式図。
【図７】上位機が作成する作業依頼票の書式一例を示す模式図。
【発明を実施するための形態】
【００１３】
実施の一形態を図面に基づいて説明する。
【００１４】
図１に示すように、パトロール支援システムを含む本実施の形態のシステムは、上位機であるサーバ１１に、無線中継ポイント４１を介して、各種機器２１、３１、１０１がデータ送受信をすることができる。各種機器２１、３１、１０１としては、中央制御室に設置されているコンピュータ２１、事務所に設置されているコンピュータ３１、それに携帯型端末１０１が用意されている。携帯型端末１０１は、そこにインストールされているコンピュータプログラムであるパトロール支援プログラム２０１（図３参照）によって、本実施の形態の中核をなすパトロール支援装置を構築する。図１では、携帯型端末１０１として、ＰＤＡ（Personal Digital Assistants）の一例と、ノートパソコンの一例とを示している。このような携帯型端末１０１は、パトロール員がパトロール現場に携帯し、情報収集のために供される。
【００１５】
図２に、ハードウェア構成を示すブロック図を示すように、パトロール支援装置である携帯型端末１０１は、情報処理部としてのＣＰＵ１１１が、ＲＯＭ１１２、ＲＡＭ１１３、およびビデオメモリであるＶＲＡＭ１１４という各種のハードウェア資源を活用して各種処理を実行して各部を集中的に制御するマイクロコンピュータを中核に据える。コンピュータプログラムであるパトロール支援プログラム２０１は、一例として、ＣＰＵ１１１に接続されているＨＤＤ１１５にインストールされ、その起動時にＲＡＭ１１３のワークエリアにコピーされて使用される。云うまでもなく、ＨＤＤ１１５はＳＳＤ等であってもよい。また、データを書き換え可能に格納するＥＥＰＲＯＭ等をＲＯＭ１１２として用い、このＲＯＭ１１２にパトロール支援プログラム２０１を予め書き込んでおいてもよい。いずれにしても、ＣＰＵ１１１は、パトロール支援プログラム２０１に従ったプロセスを実行し、携帯型端末１０１をパトロール支援装置として機能させる。この意味では、携帯型端末１０１がパトロール支援装置として機能した場合、パトロール支援方法をも実行することになる。
【００１６】
携帯型端末１０１は、表示器としてのディスプレイ１１６、入力部としてのタッチパネル１１７および操作ボタン１１８を有している。ＣＰＵ１１１は、タッチパネル１１７および操作ボタン１１８が操作されると、これに応じたデータを入力する。また、ＣＰＵ１１１は、ディスプレイ１１６を制御し、ディスプレイ１１６に情報を表示させる。
【００１７】
携帯型端末１０１は、また、デジタルカメラであるカメラ１１９、コード入力部としてのＩＣタグ読取ユニット１２１、および無線通信ユニット１２２を有している。これらの各部も、ＣＰＵ１１１の制御を受ける。無線通信ユニット１２２は、無線中継ポイント４１を介してサーバ１１とデータ通信を実行する。
【００１８】
ここで、パトロール現場（図１参照）は、複数の領域に区分されており、区分された個々の領域毎に識別コードを持っている。識別コードは、一例として、ＩＣタグ（図示せず）に記憶されたデータの形態をとっている。ＩＣタグは、パトロール現場の個々の領域に、その同一性を識別するための識別コードを記憶して配されている。個々の領域には、必要に応じて、複数個のＩＣタグが設置されている。そこで、携帯型端末１０１のＣＰＵ１１１は、そのＩＣタグに記憶されている識別コードをＩＣタグ読取ユニット１２１で読み取ることで、携帯型端末１０１が現在どこの領域に位置しているのかを認識することができる。この場合、例えば、無線通信の周波数帯として、１３．５６ＭＨｚ帯を用いた場合には、通信距離が７０ｃｍ程度なので、ＩＣタグにＩＣタグ読取ユニット１２１のアンテナ（図示せず）をかざすようにして識別コードを読み取ることになる。２．４５ＧＨｚのマイクロ波帯を用いた場合の通信距離は１ｍ程度、８６０ＭＨｚ〜９６０ＭＨｚ（現状では９５２〜９５４ＭＨｚ）のＵＨＦ帯を用いた場合の通信距離は５〜１０ｍと長くなる。このため、ＵＨＦ帯を用いた場合、携帯型端末１０１のＣＰＵ１１１は、ＩＣタグにＩＣタグ読取ユニット１２１のアンテナ（図示せず）をかざす必要がなくなり、パトロール員が携帯型端末１０１を携えておりさえすれば、自ずとその現在位置を認識することができる。
【００１９】
図３は、パトロール支援プログラム２０１とこれが利用する地図データベース２１１および対象体系データベース２２１とを例示する模式図である。地図データベース２１１および対象体系データベース２２１は、一例として、パトロール支援プログラム２０１と共に携帯型端末１０１に予めインストールされていてもよく、パトロールに出かけるに際してサーバ１１等から携帯型端末１０１にインストールしてもよい。あるいは、必要になった都度、携帯型端末１０１がサーバ１１にアクセスしてサーバ１１より一部のデータを取得するようシステム構築してもよい。さらには、携帯型端末１０１にウェブブラウザの機能を設けておき、サーバ１１にインストールしたパトロール支援プログラム２０１、地図データベース２１１、および対象体系データベース２２１を、ウェブブラウザ機能を用いて利用するようなシステムであってもよい。
【００２０】
図３に示すように、地図データベース２１１は、ＩＣタグが記憶する識別コードに対応する位置ＩＤ２１２毎に、設備区分２１３と地図画像２１４とのデータを格納している。前述したように、ＩＣタグが記憶する識別コードは、パトロール現場の区分された領域を識別している。そこで、地図データベース２１１における位置ＩＤ２１２は、パトロール現場の区分された個々の領域と等価であり、設備区分２１３は、その領域に設置されている設備の区分を特定するテキストデータである。地図画像２１４は、位置ＩＤ２１２によって特定される領域の地図のイメージデータである。携帯型端末１０１のＣＰＵ１１１は、地図画像２１４に従った地図表示をディスプレイ１１６に表示出力する。このような地図画像２１４は、複数個の設備名称２１５を対応付けている。設備名称２１５は、地図画像２１４によって示される地図上の各位置に設置されている設備の名称を特定するテキストデータである。パトロール支援プログラム２０１は、ディスプレイ１１６に表示される地図上の位置をタッチペンや指でタッチ指定すると、その位置の情報をタッチパネル１１７から入力し、設備名称２１５に辿り着くようなプロセスをＣＰＵ１１１に実行させる。
【００２１】
図３に示すように、対象体系データベース２２１は、機器２２２のカテゴリー、部位２２３のカテゴリー、状況２２４のカテゴリー、そして、程度２２５のカテゴリーを、ツリー構造で記憶している。機器２２２は、地図データベース２１１中の設備名称２１５に対応する設備が有する機器、例えば、電動機、ポンプ、ファン、配管等を示す普通名称である。部位２２３は、機器２２２の機器の部位、例えば、本体、フランジ、ユニオン等を示す普通名称である。状況２２４は、ツリー構造で示される機器２２２の部位２２３に発生している状況、例えば、潤滑油漏洩、燃料油漏洩、蒸気漏洩、空気漏洩等を示す普通名称である。そして、程度２２５は、ツリー構造で示される機器２２２の部位２２３に発生している状況の程度、例えば、大、中、小、滴下等を示す普通名称である。
【００２２】
以下、携帯型端末１０１での処理内容およびサーバ１１の処理内容を説明する。
【００２３】
実際のパトロールに際して、パトロール員は携帯型端末１０１を携えてパトロール現場に向かう。すると、携帯型端末１０１のＣＰＵ１１１は、図４に示すパトロール支援プログラム２０１に従った処理を実行する。つまり、ＣＰＵ１１１は、ＩＣタグ読取ユニット１２１が読み取ったＩＣタグが記憶する識別コード（＝位置ＩＤ）の入力を判定すると（ステップＳ１０１のＹＥＳ）、地図データベース２１１にアクセスして対応する位置ＩＤ２１２を検索し、検索した位置ＩＤ２１２に対応付けられている設備区分２１３を取得し、ＲＡＭ１１３のワークエリアに保存する（ステップＳ１０２）。次いで、検索した位置ＩＤ２１２に対応付けられている地図画像２１４を取得してＶＲＡＭ１１４に展開し、ディスプレイ１１６に表示する。また、その地図画像２１４のデータをＲＡＭ１１３のワークエリアに保存する（ステップＳ１０３）。以上の処理は、ＩＣタグ読取ユニット１２１が読み取ったＩＣタグが記憶する識別コード（＝位置ＩＤ）の新たな入力を判定する毎に（ステップＳ１０１のＹＥＳ）、更新実行される。
【００２４】
その後、ＣＰＵ１１１は、上記ステップＳ１０１〜ステップＳ１０３の更新実行とのマルチタスク処理によって、不適合箇所の入力に待機する（ステップＳ１０４）。不適当箇所の入力は、ディスプレイ１１６に表示されている地図上で、不具合が発生している不適合箇所をタッチペンや指でタッチ指定することによってなされる。つまり、このタッチ指定によって、ディスプレイ１１６に積層配置されているタッチパネル１１７に位置入力がなされるわけである。ＣＰＵ１１１は、タッチパネル１１７からの信号に基づいて不適合箇所の入力を判定すると（ステップＳ１０４のＹＥＳ）、その入力信号に応じて地図上の位置を認識し、直前にＲＡＭ１１３に保存した地図データの該当箇所にマーキングを行なう（ステップＳ１０５）。そのバックグランドで、ＣＰＵ１１１は、地図データベース２１１中の地図画像２１４に対応付けられている当該位置の設備名称２１５を取得し、ＲＡＭ１１３に保存する。そして、ＣＰＵ１１１は、パトロールによる不具合箇所の報告対象に関する情報を対話形式で入力する処理をユーザ（パトロール員）に提供する（ステップＳ１０６）。
【００２５】
図５に示すように、対話形式で情報を入力していく図４中のステップＳ１０６の処理として、ＣＰＵ１１１は、まず、ディスプレイ１１６に写真撮影のインストラクションを表示する（ステップＳ１０６−１）。これに応じて、パトロール員がカメラ１１９で不適合箇所を被写体として撮影を行なうと、ＣＰＵ１１１は、撮影画像の取得を判定し（ステップＳ１０６−２のＹＥＳ）、その撮影画像をＲＡＭ１１３に保存して、ディスプレイ１１６に不適合箇所の入力のインストラクションを表示する（ステップＳ１０６−３）。不適当箇所の入力は、ディスプレイ１１６に表示されている撮影画像上で、不具合が発生している不適合箇所をタッチペンや指でタッチ指定することによってなされる。つまり、このタッチ指定によって、ディスプレイ１１６に積層配置されているタッチパネル１１７に位置入力がなされるわけである。ＣＰＵ１１１は、タッチパネル１１７からの信号に基づいて不適合箇所の入力を判定すると（ステップＳ１０６−４のＹＥＳ）、ＲＡＭ１１３に保存した撮影画像のデータの該当箇所にマーキングを行なう（ステップＳ１０６−５）。
【００２６】
その後、ＣＰＵ１１１は、設備機器の状態である機器２２２、部位２２３、状況２２４、および程度２２５を対話形式で入力する処理をユーザ（パトロール員）に提供する（ステップＳ１０６−６）。この処理は、対象体系データベース２２１中の機器２２２に格納されている機器名称を例えばドロップダウンリスト表示し、タッチパネル１１７のタッチ指定によって一の機器名称の選択をディスプレイ１１６のインストラクション表示で促し、タッチ指定による選択があれば、その選択された機器名称をＲＡＭ１１３に保存し、部位２２３に格納されている部位名称、状況２２４に格納されている状況名称、そして、程度２２５に格納されている程度名称についても、同様の処理を順に繰り返すことによってなされる。
【００２７】
こうして、パトロールによる不具合箇所の報告対象に関する情報が対話形式で入力される。すると、図４に示すように、ＣＰＵ１１１は、入力完了を判定し（ステップＳ１０７のＹＥＳ）、ＲＡＭ１１３に保存したデータを無線で送信出力し（ステップＳ１０８）、処理を終了する。
【００２８】
図６に示すように、ステップＳ１０８で送信出力されるデータは、それまでにＲＡＭ１１３に保存されていた、ステップＳ１０２およびＳ１０５で取得した設備機器（設備区分２１３および設備名称２１５）と、ステップＳ１０５でマーキングされた地図データと、ステップＳ１０６−５でマーキングされた撮影画像データと、ステップＳ１０６−６で入力された設備機器の状態とを一まとめのデータとして生成したものである。これを整理すると、図６に示すように、
ａ：設備区分（設備機器）
ｂ：設備名称（設備機器）
ｃ−１：報告対象の機器名（設備機器の状態）
ｃ−２：報告対象の部位名（設備機器の状態）
ｃ−３：報告対象の状況（設備機器の状態）
ｃ−４：報告対象の程度（設備機器の状態）
ｄ：地図画像（マーキングされた地図データ）
ｅ：撮影画像（マーキングされた撮影画像データ）
となる。
【００２９】
サーバ１１は、携帯型端末１０１から受信した一まとめのデータに基づいて、報告書を作成するためのコンピュータプログラムをインストールしている。このコンピュータプログラムは、報告書用の予め整えられている書式を有しており、この書式に、携帯型端末１０１から受信した一まとめのデータを当てはめて報告書を自動作成する。この場合の報告書は、様々な部署の者、例えば中央制御室や事務所（図１参照）で勤務する従業員に、そこに設置されているコンピュータ２１やコンピュータ３１を介して情報公開をするための不適合報告書の他、保守管理部門に補修作業を依頼するための作業依頼票がある。ここでは、作業依頼票を例に挙げ、その自動作成の手法について説明する。
【００３０】
図７に示すように、作業依頼票の書式は、「発行Ｎｏ．欄」、「発行日欄」、および「作業依頼箇所欄（発電長欄、担当者欄）」を上欄に、「設備区分」、「発見動機」、「対応期日」、および「添付資料」を中上欄に、「件名欄」を中下欄に、そして、「依頼内容欄」を下欄にレイアウトしている。「依頼内容欄」は、さらに、文章表現した依頼内容のテキスト配置欄、地図画像であるイメージデータ貼り付け用の地図表示欄、それに、撮影画像であるイメージデータ貼り付け用の不適合箇所写真欄をレイアウトしている。
【００３１】
サーバ１１は、作業依頼票の書式中、「設備区分欄」、「件名欄」、そして「依頼内容欄」に、携帯型端末１０１から受信した一まとめのデータを当てはめる。より詳細には、「設備区分欄」にはａの設備区分のデータを、「件名欄」にはｂの設備名称とｃ−１の報告対象の機器名とｃ−２の報告対象の部位名とｃ−３の報告対象の状況とを当てはめる。そして、「依頼内容欄」のテキスト配置欄にはｃ−１の報告対象の機器名とｃ−２の報告対象の部位名とｃ−３の報告対象の状況とｃ−４の報告対象の程度とを当てはめ、「依頼内容欄」の地図表示欄にはｄの地図画像（マーキング付き）を貼り付け、「依頼内容欄」の不適合箇所写真欄にはｅの撮影画像（マーキング付き）を貼り付ける。こうして、作業依頼票が完成する。
【００３２】
もっとも、図７に示す作業依頼票の書式は一例を示しているに過ぎず、サーバ１１は、作業依頼票を含む報告書の書式に適合するよう、適宜の位置に適宜のデータを当てはめて報告書を完成させる。
【００３３】
以上説明したように、本実施の形態によれば、特定された設備機器とマーキングされた地図データおよび撮影画像データと入力された設備機器の状態とを一まとめのデータとして生成するという前提の下、カメラ１１９で撮影した設備機器にマーキングをして不具合箇所を示すことができ、これにより、設備機器の不具合箇所を示すために設備機器毎にそのグラフィック情報（外観の写真等）を予め用意しておくような煩雑さを伴うことなくパトロール支援装置としての携帯型端末１０１を構築することができる。また、ディスプレイ１１６に表示された地図上の位置を指定するだけで設備機器を特定することができ、これにより、設備機器についての知識を要することなく、パトロール対象である不具合が発生している設備機器を容易に特定することができる。
【００３４】
また、本実施の形態によれば、地図上の位置指定と撮影画像上の位置指定とをタッチパネル１１７へのタッチ指定によって行なうことができるので、不具合箇所の指定操作が視覚的となり、その作業性が良好となる。
【００３５】
また、本実施の形態によれば、マーキングされた地図データを一まとめのデータに含ませるようにしたので、この一まとめのデータに基づき作成された報告書にマーキングされた地図を反映させることができ、より一層分かり易い報告書の作成に資することができる。
【００３６】
さらに、本実施の形態によれば、領域毎に区分けされた地図画像をディスプレイ１１６に表示するようにしたので、パトロール範囲が広い場合であっても、地図の縮尺を極端に小さくすることなく、見易い地図表示を行なうことができる。そして、このような地図データに基づく地図が報告書に反映されるので、報告書においても、地図表示を見易くすることができる。
【符号の説明】
【００３７】
１１  サーバ（上位機）
１１１  ＣＰＵ（情報処理部）
１１３  ＲＡＭ（メモリ）
１１４  ＶＲＡＭ（ビデオメモリ）
１１６  ディスプレイ（表示器）
１１７  タッチパネル（入力部）
１１９  カメラ（デジタルカメラ）
１２１  ＩＣタグ読取ユニット（コード入力部）
ａ  設備区分（設備機器）
ｂ  設備名称（設備機器）
ｃ−１  報告対象の機器名（設備機器の状態）
ｃ−２  報告対象の部位名（設備機器の状態）
ｃ−３  報告対象の状況（設備機器の状態）
ｃ−４  報告対象の程度（設備機器の状態）
ｄ  地図画像（地図データ）
ｅ  撮影画像（撮影画像データ）
【図１】
2012093933.tif 000003
【図２】
2012093933.tif 000004
【図３】
2012093933.tif 000005
【図４】
2012093933.tif 000006
【図５】
2012093933.tif 000007
【図６】
2012093933.tif 000008
【図７】
2012093933.tif 000009